(57)【要約】【課題】速やかに水路を閉じて、水の流入や、波を防ぐことができる防潮・防波堤を提供する。【解決手段】水路を間に挟む一対の係止基礎１２Ｒ、１２Ｌと、これら係止基礎１２Ｒ、１２Ｌ間に架設される膜構造物１１とを備え、膜構造物１１が、水路を閉じる膜体１４と、膜体１４の両側縁に設けられた連結体１６とを備え、各係止基礎１２Ｒ、１２Ｌが、連結体１６を受け入れる開口を有するとともに、上下方向に延在するガイド溝２０を備えることを特徴とする。【選択図】　図１
2004124421.tif 000002
【特許請求の範囲】
【請求項１】
水路を間に挟む一対の係止基礎と、これら係止基礎間に架設される膜構造物とを備え、
前記膜構造物が、前記水路を閉じる膜体と、該膜体の両側縁に設けられた連結体とを備え、
前記各係止基礎が、前記連結体を受け入れる開口を有するとともに、上下方向に延在するガイド溝を備えることを特徴とする防潮・防波堤。
【請求項２】
請求項１に記載の防潮・防波堤において、
前記ガイド溝には、前記膜体を補強するケーブルを収納するケーブル溝が設けられ、
前記各係止基礎が、前記膜体の両側縁に対向する対向面と、該対向面に対して前記膜体の両側縁を押し付ける圧接手段とを備えることを特徴とする防潮・防波堤。
【請求項３】
請求項２に記載の防潮・防波堤において、
前記圧接手段が、前記膜体の両側縁を押し付ける箇所に弾性体を備えていることを特徴とする防潮・防波堤。
【請求項４】
請求項１から請求項３のいずれか１項に記載の防潮・防波堤において、
前記各ガイド溝が、その最下端に至った前記連結体を水底に沿って前記水路の上流側に導く水平溝部を有することを特徴とする防潮・防波堤。
【請求項５】
請求項４に記載の防潮・防波堤において、
前記各係止基礎が、前記各水平溝部間を互いに離間させる方向に駆動する駆動手段を備えることを特徴とする防潮・防波堤。
【発明の詳細な説明】
【０００１】
【発明の属する技術分野】
本発明は、港湾、漁港、河川などに設けられる防潮・防波堤に関する。
【０００２】
【従来の技術】
従来、この種の防潮・防波堤として、下記特許文献１に示すものが知られている。図４において、防潮・防波堤１００は、水底に打設された基盤コンクリート１０１と、気密な袋状体に形成された可撓性膜１０２と、可撓性膜１０２を基盤コンクリート１０１に固定する固定部１０３と、可撓性膜１０２内に流体を供給・排出する供給管１０４・排出管１０５と、供給・排出設備（図示せず）と、可撓性膜１０２内に配置された、箱型形状の収納部１０６とを主な構成要素としている。収納部１０６の上面には、可撓性膜１０２を収納・展開するための開口部１０７が設けられている。また、可撓性膜１０２は、基盤コンクリート１０１と接触している下部可撓性膜１０８と、それ以外の上部可撓性膜１０９とから構成されている。
【０００３】
上記の構成からなる防潮・防波堤１００によれば、可撓性膜１０２を倒伏させるときには、前記供給・排出設備からの排出管１０５を介して可撓性膜１０２内の空気は、強制的に排出する。すると、水圧により上部可撓性膜１０９は、まず、収納部１０６の外面に接触する。その後、上部可撓性膜１０９は、略中央部の左右から水圧により押されて合掌状態に接触し、開口部１０７から収納部１０６内へ落ち込み、図５に示すように収納される。
【０００４】
逆に、可撓性膜１０２を起立させるときには、供給・排出設備からの供給管１０４を介して、可撓性膜１０２内に空気を強制的に供給する。空気が供給された可撓性膜１０２の上部可撓性膜１０９は、空気の浮力により、開口部１０７から収納部１０６外へ展開し、図４に示す鉛直断面において、略円弧形状をなして起立する。このようにして、上部可撓性膜１０９の頂上部が水面上に突出することにより、防潮・防波堤１００は、水の流れを止め、波を防ぐことができる。
【０００５】
【特許文献１】
特開昭６２−１７８６１４号公報　（第２−３頁、第１図、第２図）
【０００６】
【発明が解決しようとする課題】
ところで、上記の防潮・防波堤１００においては、設置する水路の場所や大きさによって、水路の水深が深くなったり、水路の幅が広くなったりして、その結果、水路を閉じる働きをする可撓性膜１０２が大きくなり、可撓性膜１０２内の容積も大きくなる。そのため、可撓性膜１０２内に空気等を供給して、可撓性膜１０２を起立させ、水路を閉じて、水の流入や、波を防いだりするのに時間がかかるという問題があった。
【０００７】
この発明は、このような事情を考慮してなされたもので、その目的は、速やかに水路を閉じて、水の流入や、波を防ぐことができる防潮・防波堤を提供することにある。
【０００８】
【課題を解決するための手段】
本発明の防潮・防波堤では、上記課題を解決するため、以下の手段を採用した。
請求項１にかかる発明は、前記水路を間に挟む一対の前記係止基礎と、これら前記係止基礎間に架設される前記膜構造物とを備え、前記膜構造物が、前記水路を閉じる前記膜体と、該膜体の両側縁に設けられた前記連結体とを備え、前記各係止基礎が、前記連結体を受け入れる開口を有するとともに、上下方向に延在する前記ガイド溝を備えることを特徴とする。
【０００９】
この発明にかかる防潮・防波堤によれば、前記ケーブルには、前記連結体が設けられ、前記係止基礎には、前記連結体を受け入れる前記ガイド溝が設けられているため、前記連結体を前記ガイド溝にいれることにより、速やかに連結させることができる。
例えば、前記連結体を、前記ガイド溝の開口から、前記ガイド溝に落とし込むことにより連結は完了するため、前記膜構造物と前記係止基礎とを速やかに連結させることができる。
【００１０】
請求項２にかかる発明は、請求項１に記載の防潮・防波堤において、前記ガイド溝には、前記膜体を補強する前記ケーブルを収納する前記ケーブル溝が設けられ、前記各係止基礎が、前記膜体の両側縁に対向する前記対向面と、該対向面に対して前記膜体の両側縁を押し付ける前記圧接手段とを備えることを特徴とする。
【００１１】
この発明にかかる防潮・防波堤によれば、前記膜構造物は、前記圧接手段により、前記対向面へ押し付けられるため、前記ガイド溝と前記膜構造物との隙間を、速やかに小さくすることができる。
また、前記ケーブルは前記ケーブル溝に収納されるため、前記圧接手段により、前記膜構造物が前記対向面に押し付けられたときに、前記ケーブルの周囲の前記膜体と、前記ガイド溝との隙間をなくすことができる。
【００１２】
請求項３にかかる発明は、請求項２に記載の防潮・防波堤において、前記圧接手段が、前記膜体の両側縁を押し付ける箇所に弾性体を備えていることを特徴とする。
【００１３】
この発明にかかる防潮・防波堤によれば、前記圧接手段の前記膜体の両側縁を押し付ける箇所には、弾性体を備えているため、前記膜構造物を傷つけない。多少勢い良く前記圧接手段を前記膜構造物に押し付けても、前記膜構造物は傷つかず、前記膜構造物の傷から水が漏洩しないので、前記ガイド溝と前記膜構造物との隙間を、速やかに小さくすることができる。
【００１４】
請求項４にかかる発明は、請求項１から請求項３のいずれか１項に記載の防潮・防波堤において、前記各ガイド溝が、その最下端に至った前記連結体を前記水底に沿って前記水路の上流側に導く前記水平溝部を有することを特徴とする。
【００１５】
この発明にかかる防潮・防波堤によれば、前記水底に沿って前記水路の上流側に導く前記水平溝部により、前記膜構造物の下部は、前記水底に沿って配置されることになり、前記膜構造物は水圧により、前記水底に押し付けられることになり、前記膜構造物と前記水底との隙間を、速やかに小さくすることができる。
【００１６】
請求項５にかかる発明は、請求項４に記載の防潮・防波堤において、前記各係止基礎が、前記各水平溝部間を互いに離間させる方向に駆動する前記駆動手段を備えることを特徴とする。
【００１７】
この発明にかかる防潮・防波堤によれば、前記各水平溝部間は、前記駆動手段により、互いに離間させる方向に駆動されるので、前記水底に沿って配置されている前記膜構造物の下部には、弛みがなくなる。このことにより、前記膜構造物と前記水底との隙間を、速やかに小さくすることができる。
【００１８】
【発明の実施の形態】
以下、図面を参照し、この発明の実施の形態について説明する。図１から図３はこの発明の一実施形態を示す図である。
図１において防潮・防波堤１０は、海側と港側とをつなぐ水路を開閉する遮蔽体である膜構造物１１と、膜構造物１１の端部を連結するアンカレイジ（係止基礎）１２Ｒ、１２Ｌと、アンカレイジ１２Ｒ、１２Ｌの左右に伸びる防波堤１３Ｒ、１３Ｌとを主な構成要素として構成されている。
膜構造物１１には、水路を遮蔽する膜体１４と、水圧を受ける複数のケーブルワイヤ（ケーブル）１５とが設けられ、ケーブルワイヤ１５の両端にはアンカレイジ１２Ｒ、１２Ｌと連結するための連結体１６が設けられている。ケーブルワイヤ１５は、膜体１４に沿って、互いに所定間隔離して配置され、膜体１４は、海側からケーブルワイヤ１５に張り付くように係止されている。
【００１９】
アンカレイジ１２Ｒ、１２Ｌには、防波堤１３Ｒ、１３Ｌに固定された固定部１７Ｒ、１７Ｌと、水底近傍で、海側に突き出し固定部１７Ｒ、１７Ｌを支点にして拡開可能に構成された回転部１８Ｒ、１８Ｌと、回転部１８Ｒ、１８Ｌを、油圧シリンダを用いて駆動する回転駆動部（駆動手段）１９Ｒ、１９Ｌとが設けられている。
【００２０】
また、図２に示すように、固定部１７Ｒ（１７Ｌ）においては、略垂直方向にガイド溝２０が設けられ、回転部１８Ｒ（１８Ｌ）においては、水底に沿って水平溝（水平溝部）２１が設けられている。
【００２１】
さらに、ガイド溝２０と水平溝２１とには、ケーブルワイヤ１５を収納するケーブル溝２２が設けられている。ケーブル溝２２は、ガイド溝２０においては港側の壁部に、水平溝２１においては水底側に配置されている。
【００２２】
また、ガイド溝２０と水平溝２１とには、膜構造物１１を、ガイド溝２０が配置された対向面２３に、押し付けるゴム製の圧接部（圧接手段）２４が設けられている。圧接部２４を駆動する駆動部（圧接手段）２５は、アンカレイジ１２Ｒ（１２Ｌ）に設けられている。
【００２３】
上記の構成からなる防潮・防波堤１０において、膜構造物１１をアンカレイジ１２Ｒ、１２Ｌに連結させるときには、まず、図３に示すように、圧接部２４は引き込まれ、図には示されていないが、回転部１８Ｒ（１８Ｌ）は互いが平行になった状態で、ガイド溝２０の上端から連結体１６を、重力を利用して落とし込む。連結体１６をガイド溝２０に落とし込むことにより、ケーブルワイヤ１５に係止されている膜体１４は、水路の水面から水底に向かって展開される。
【００２４】
図２に示すように、連結体１６が所定の位置まで落とし込まれたら、駆動部２５により圧接部２４が飛び出し、ケーブルワイヤ１５をケーブル溝２２に押し込み、収納させ、膜体１４を対向面２３に押え付ける。その後、図１に示すように、回転部１８Ｒ（１８Ｌ）を水路に対して拡がるように回転させ、膜構造物１１の水底に沿っている部分の弛みを取り除く。
【００２５】
上記の構成によれば、膜構造物１１のケーブルワイヤ１５には、連結体１６が設けられ、連結体１６を、ガイド溝２０の上端から落とし込むことにより連結は完了するため、膜構造物１１とアンカレイジ１２Ｒ、１２Ｌとを速やかに連結させ、水の流入や、波をより防ぐことができる。
【００２６】
また、膜構造物１１は、圧接部２４により、ケーブル溝２２が設けられている対向面２３へ、速やかに押し付けられるため、ガイド溝２０及び水平溝２１と膜構造物１１との隙間がなくなり、水の流入や、波をより防ぐことができる。
【００２７】
さらに、回転部１８Ｒ、１８Ｌは、回転駆動部１９Ｒ、１９Ｌにより、水路に対して拡開されるので、水底近傍で水底に沿って配置されている膜構造物１１には、弛みがなくなり、また、水圧により水底に押し付けられることになり、膜構造物１１と水底との隙間が少なくなり、水の流入や、波をより防ぐことができる。
【００２８】
なお、上記の実施の形態においては、圧接部２４はガイド溝２０と水平溝２１から飛び出して膜構造物１１を押し付けるものに適応して説明したが、この圧接部２４はガイド溝２０と水平溝２１から飛び出して膜構造物１１を押し付けるものに限られることなく、膨張して膜構造物１１を押し付けるもの等、その他各種の押し付け方に適応することができるものである。
【００２９】
また、上記の実施の形態においては、膜構造物１１の連結体１６をガイド溝２０の上から落とし込んで連結させるものに適応して説明したが、この連結体１６をガイド溝２０の上から落とし込んで連結させるものに限られることなく、ガイド溝２０の水路側開口部から挿入して連結する方法など、その他各種の連結方法に適応することができるものである。
【００３０】
また、上記の実施の形態においては、回転部１８Ｒ、１８Ｌの駆動に油圧シリンダを用いたものに適応して説明したが、この回転部１８Ｒ、１８Ｌの駆動に油圧シリンダを用いたものものに限られることなく、その他各種の駆動方法に適応することができるものである。
【００３１】
【発明の効果】
以上説明したように、請求項１に係る発明によれば、前記連結体と前記ガイド溝とを連結させることにより、速やかに、前記膜構造物と前記係止基礎とを連結させることができる。これにより、速やかに前記水路を閉じて、水の流入や、波を防ぐことができるという効果を奏する。
【００３２】
請求項２に係る発明によれば、前記膜構造物は、前記圧接手段により、前記対向面へ押し付けられるため、前記ガイド溝と前記膜構造物との隙間を、速やかに小さくすることができる。これにより、速やかに前記水路を閉じて、水の流入や、波を防ぐことができるという効果を奏する。
【００３３】
また、前記ケーブルは前記ケーブル溝に収納されるため、前記圧接手段により、前記膜構造物が前記対向面に押し付けられたときに、前記ケーブルの周囲の前記膜体と、前記ガイド溝との隙間をなくすことができる。このため、前記水路を閉じて、水の流入や、波を防ぐことができるという効果を奏する。
【００３４】
請求項３に係る発明によれば、前記圧接手段の前記膜体の両側縁を押し付ける箇所には、弾性体を備えているため、前記膜構造物を傷つけない。このため、前記膜構造物の傷から水が漏洩せず、前記水路を閉じて、水の流入や、波を防ぐことができるという効果を奏する。
【００３５】
請求項４に係る発明によれば、前記膜構造物の下部は、前記水底に沿って配置されることになり、前記膜構造物は水圧により、前記水底に押し付けられる。これにより、前記膜構造物と前記水底との隙間を、速やかに小さくすることができ、速やかに前記水路を閉じて、水の流入や、波を防ぐことができるという効果を奏する。
【００３６】
請求項５に係る発明によれば、前記各水平溝部間は、前記駆動手段により、互いに離間させる方向に駆動されるので、前記水底に沿って配置されている前記膜構造物の下部には、弛みがなくなる。これにより、前記膜構造物と前記水底との隙間を、速やかに小さくすることができ、速やかに前記水路を閉じて、水の流入や、波を防ぐことができるという効果を奏する。
【図面の簡単な説明】
【図１】本発明による防潮・防波堤の一実施形態を示す平面図である。
【図２】本発明による防潮・防波堤の一実施形態を示す図１におけるＡ−Ａ断面図である。
【図３】本発明による防潮・防波堤の一実施形態を示す要部斜視図である。
【図４】従来の防潮・防波堤の一例を示す断面図である。
【図５】従来の防潮・防波堤の一例を示す断面図である。
【符号の説明】
１０　防潮・防波堤
１１　膜構造物
１２Ｒ、１２Ｌ　アンカレイジ（係止基礎）
１４　膜体
１５　ケーブルワイヤ（ケーブル）
１６　連結体
１８Ｒ、１８Ｌ　回転部（水平溝部）
１９Ｒ、１９Ｌ　回転駆動部（駆動手段）
２０　ガイド溝
２１　水平溝（水平溝部）
２２　ケーブル溝
２３　対向面
２４　圧接部（圧接手段）
２５　駆動部（圧接手段）
【図１】
2004124421.tif 000003
【図２】
2004124421.tif 000004
【図３】
2004124421.tif 000005
【図４】
2004124421.tif 000006
【図５】
2004124421.tif 000007